(57)【要約】【課題】携帯電話機等に取り込んだ自分の顔画像に対し、この画面上で仮装を行うことで画面上での楽しみや面白みを向上させる。【解決手段】ユーザがＱＲコードやアドレスあるいはバーコードにより携帯サイトへアクセスすることによりキャラクター画像２をダウンロードする手段と、携帯電話機ＰのカメラＱで顔を撮影して写真データを、ダウンロードしたキャラクター画像２の空白状態にある顔部分３に取り込む手段と、キャラクター画像２上でキャラクターへの仮装・表情変更を行う手段とを備える。【選択図】図１
2008146279.tif 000002
【特許請求の範囲】
【請求項１】
ユーザがＱＲコードやアドレスあるいはバーコードにより携帯サイトへアクセスすることによりキャラクター画像をダウンロードする手段と、カメラで顔を撮影し、この写真データを、ダウンロードされたキャラクター画像の空白状態にある顔部分に取り込む手段と、キャラクター画像上で写真データによる個人の顔の仮装・表情変更を行う手段とを備えたことを特徴とする顔写真を使用した画像作成システム。
【請求項２】
人形本体の絵柄をカメラ付き携帯電話機へダウンロードする手段と、その壁紙を使用して顔部分の位置決めをする手段と、個人の顔をカメラ付き携帯電話機で撮影して人形本体の空白状態にある顔部分に取り入れる手段と、この画像データを各種オリジナルの商品製造センターに電子メールで送る手段と、商品製造センターにより、この送信された画像データを基にして、オリジナル商品に印刷して個人に提供する手段とを備えたことを特徴とする顔写真を使用した画像作成システム。
【請求項３】
顔写真は、携帯電話機カメラまたはデジタルカメラによるデジタルデータである請求項１または２記載の顔写真を使用した画像作成システム。
【請求項４】
顔写真は、携帯電話機のメール機能を用いたデジタルデータである請求項１乃至３のいずれか記載の顔写真を使用した画像作成システム。
【発明の詳細な説明】
【技術分野】
【０００１】
本発明は、例えば携帯電話機等に取り込んだ自分の顔画像に対し、画面上で仮装等を行うことを可能にした顔写真を使用した画像作成システムに関する。
【背景技術】
【０００２】
従来から、特許文献１に開示されているように、顔の絵若しくは写真を印刷若しくは複写によって印刷した顔フィルムを設け、当該顔フィルムを、前記頭部の顔部に設けられた鼻の位置と顔フィルムに印刷された鼻の位置を合わせた後、顔部の中心線に沿って配置し、前記中心線を中心とした所定範囲を押圧若しくは擦りつけにより貼り付け、当該顔フィルムを加熱し、かつ顔フィルムの周縁を伸展させながら顔部の周囲に貼り付けたマスコット人形なる技術が存在する。
【特許文献１】特開２００４−２６１６２０号公報
【発明の開示】
【発明が解決しようとする課題】
【０００３】
しかしながら、従来においては、マスコット人形の顔部分に、例えばインクジェットで印刷した顔フィルムを直接貼り付けて成る実体のある人形形態であって、例えば携帯電話機等に取り込んだ自分の顔画像に対し、この画面上で仮装等を行うことを可能にした画像作成システムなる技術は未だ存在しないのであった。
【０００４】
そこで、本発明は、叙上のような従来存した諸事情に鑑み案出されたもので、例えば携帯電話機等に取り込んだ自分の顔画像に対し、この画面上で仮装を行うことで画面上での楽しみや面白みを向上させることができ、また、この画像作成データをスクリーンセーバー、待ち受け画像、メールテンプレート等に使用でき、さらに、この作成データを例えばオリジナルの名前付キーホルダー、おせんべい、Ｔシャツ、皮革製品、置物等の各種の商品製造センターに送信することにより、これらにプリントして提供することで顔部分に実体感を持たせて本人の顔そのものを表現できる付加価値のある商品を個人に提供することができる顔写真を使用した画像作成システムを提供することを目的とする。
【課題を解決するための手段】
【０００５】
本発明においては、ユーザがＱＲコードやアドレスあるいはバーコードにより携帯サイトへアクセスすることによりキャラクター画像をダウンロードする手段と、カメラで顔を撮影し、この写真データを、ダウンロードされたキャラクター画像の空白状態にある顔部分に取り込む手段と、キャラクター画像上で写真データによる個人の顔の仮装・表情変更を行う手段とを備えたことを特徴とする。
【０００６】
人形本体の絵柄をカメラ付き携帯電話機へダウンロードする手段と、その壁紙を使用して顔部分の位置決めをする手段と、個人の顔をカメラ付き携帯電話機で撮影して人形本体の空白状態にある顔部分に取り入れる手段と、この画像データを各種オリジナルの商品製造センターに電子メールで送る手段と、商品製造センターにより、この送信された画像データを基にして、オリジナル商品に印刷して個人に提供する手段とを備えたことを特徴とする。
【０００７】
顔写真は、携帯電話機カメラまたはデジタルカメラによるデジタルデータである。
【０００８】
顔写真は、携帯電話機のメール機能を用いたデジタルデータである。
【発明の効果】
【０００９】
本発明によれば、例えば携帯電話機等に取り込んだ自分の顔画像に対し、この画面上で仮装を行うことで画面上での楽しみや面白みを向上させることができ、また、この画像作成データをスクリーンセーバー、待ち受け画像、メールテンプレート等に使用でき、さらに、この作成データを例えばオリジナルの名前付キーホルダー、おせんべい、Ｔシャツ、皮革製品、置物等の各種の商品製造センターに送信することにより、これらにプリントして提供することで顔部分に実体感を持たせて本人の顔そのものを表現できる付加価値のある商品を個人に提供することができる。
【発明を実施するための最良の形態】
【００１０】
以下、図面を参照して本発明を実施するための最良の一形態を説明する。
図１には、例えば携帯電話機Ｐに付設されているＣＣＤカメラＱにより画面上に個人の顔写真を取り込んだ画像データであり、該画像データ１は、ユーザがＱＲコードやアドレスあるいはバーコードにより携帯サイトへアクセスすることによりキャラクター画像２をダウンロードしてから、このキャラクター画像２の空白状態にされている顔部分３に取り込むものである。
【００１１】
そして、画面上において、キャラクター画像２への仮装や表情変更等を行う。
すなわち、画面データ１上で、例えば眉毛、目、鼻、口、頬等の顔のパーツや、あるいはメガネ、ヒゲ、くるくるほっぺた、涙、汗、怒り等のイラスト的なマークをのせて、撮影された自分の顔にデコレーションする等の仮装設定を行ったり、または、ソフト上で表情を変化させたりすることで、オリジナルの実写顔入り画像を作成する。さらに、バックの部分やデコレーションパーツを動かすことにより動画として扱うことも可能である。さらに、お好みの書体を使って名前や言葉等をオリジナルで作成し前記画像データ１上に添付することもできる。
【００１２】
このときの仮装後の画像データ１の用途としては、携帯電話機Ｐの画面上の壁紙として、例えばスクリーンセーバー、待ち受け画像、メールテンプレート、アイコン等に使用される。また、そのデータを利用して財布、名刺（カード）入れ、キーホルダー、ストラップ等の雑貨、Ｔシャツ、ハンカチ、パンツ、靴下、靴、鞄、腕時計、帽子、ベルト等の衣類および装身具、置時計、置物、フォトスタンド、額縁、皿等に、例えばインクジェットプリンタ等で印刷し、さらに紫外線硬化性樹脂（ＵＶコーティング樹脂）をコーティングすることで耐久性を付与させる。
尚、インク自体に紫外線硬化性樹脂を予め混合しておけば、印刷後に紫外線発光装置で紫外線を照射することによって硬化定着が容易に行える。
【００１３】
具体的に、メールテンプレート等に使用する場合には、従来の携帯メールで「デコメール」（登録商標）という各種テンプレートが用意されているものがある。すなわち、そこから選びたい文章を打ち込み、文章自体は決められた書体で表示されるもので、そこで、本人が撮影した自分の顔が添付される。
【００１４】
そして、この作成された画像データ１を例えば、図１に示すように、オリジナルの名前付きキーホルダー、おせんべい、Ｔシャツ、置物等の各種の商品製造センターＲに送信することにより、該画像データ１を各種の商品Ｓに、例えばインクジェットプリンタ等で印刷して個人に提供する。
【００１５】
このインクジェットプリンタで印刷するときには、インク自体は水性インク仕様ということで基本的には印刷材料への親水性のためのコーティングから、印刷後のトップコーティングが必要となる。そこで、このトップコーティングに関して、紫外線硬化性樹脂をコーティングすることで保護するか、またはインク内に紫外線硬化性樹脂を混合した個別のコーティングによる保護する等の処理を行う。
【００１６】
また、これら商品Ｓに個人の名前を印刷する場合には、携帯電話機Ｐの画面上で、例えば外国語、ローマ字、ひらがな、イタリック等、その他の種々の書体を任意に選別することで、商品Ｓに個人の名前が印刷される。
【００１７】
顔写真を印刷するためには、基本的にはデジタルデータが必要なので、そのデータを、例えばカメラ付き携帯電話機Ｐのカメラデータから得るか、あるいは携帯電話機Ｐのメール機能を用いるか等してデータ取得上のシステム化を図ることもできる。
【００１８】
また、携帯電話機Ｐを使用せずに、顔写真をデジタルカメラから取り入れた場合には、顔写真データをパーソナルコンピューター内に取り入れて、その大きさが調整される。そして、その顔写真から顔面部分をトリミングして、その顔面部分だけを、パーソナルコンピューターでダウンロードしたキャラクター画像２の空白状態の顔部分３に取り込む。この後にパーソナルコンピューターの画面上で上記したように自分の顔の仮装や表情変更等の設定を行う。
【００１９】
次に、以上のように構成された顔写真による画像作成システムのさらに具体的な動作手順の一例について図３に基づき説明する。
先ず、例えば人気アトラクション等において、乗車待ちで並んでいるユーザに退屈感を無くすことを目的とし、ユーザの列に対してポスターや貼り歩手等でＱＲコードやアドレスあるいはバーコードを掲示してホームページにアクセスしてもらう（ステップ１）。
【００２０】
そして、人気のある人形等のキャラクター画像２の絵柄をＣＣＤカメラＱ付きの携帯電話機Ｐへダウンロードしてもらい（ステップ２）、その壁紙をフィルターとして使用して空白状態の顔部分３の位置決めをして（ステップ３）から、個人の顔をＣＣＤカメラＱで撮影して前記顔部分３に移した後（ステップ４）、データ上で、例えば眉毛、目、鼻、口、頬等の顔のパーツや、あるいはメガネ、ヒゲ、くるくるほっぺた、涙、汗、怒り等のイラスト的なマークを画面上でのせて、撮影された自分の顔にデコレーションする等の仮装設定を行う（ステップ５）。そして、この画像データ１を商品製造センターＲ側に電子メールで送る（ステップ６）。
【００２１】
そして、商品製造センターＲでは、この送信された画像データ１を基にして、商品Ｓに該画像データ１を、例えばインクジェット等で印刷する（ステップ７）。
【００２２】
次いで、必要に応じて、また商品Ｓの種類に応じて、印刷された部位に剥がれ防止用のトップコートを施し（ステップ８）てから、乗車されたユーザに提供する（ステップ９）。
【産業上の利用可能性】
【００２３】
本発明は、オリジナルの名前付きキーホルダー、おせんべい、Ｔシャツ、皮革製品、置物等の商品以外の様々な物品にも応用でき、カメラ付き携帯電話機を利用した幅広い商品展開が可能である。
【図面の簡単な説明】
【００２４】
【図１】本発明を実施するための最良の形態における携帯電話機のＣＣＤカメラにより画面上に個人の顔写真を取り込んだ画像データの一例を示す正面図である。
【図２】同じく画像データを、オリジナルの名前付きキーホルダー、おせんべい、Ｔシャツ、置物等の各種の商品に印刷した状態の正面図である。
【図３】同じく顔写真による画像作成システムの具体的な動作手順の一例を示すフローチャート図である。
【符号の説明】
【００２５】
Ｐ  携帯電話機
Ｑ  ＣＣＤカメラ
Ｒ  商品製造センター
Ｓ  商品
１  画像データ
２  キャラクター画像
３  顔部分
【図１】
2008146279.tif 000003
【図２】
2008146279.tif 000004
【図３】
2008146279.tif 000005